(57)【要約】【課題】液晶パネルのフレキシブル基板にバックライトのフレキシブル基板をはんだ付けして液晶表示装置を組み立てる際、フレキシブル基板のはんだ付け部分が外面に露出しないようにする。【解決手段】液晶パネル側フレキシブル基板３０の給電端子部３４Ａに、バックライト側フレキシブル基板４０の電源入力端子部４１Ａをはんだ付けして液晶表示装置を組み立てるにあたって、液晶パネル１０とバックライト２０とを並置した状態で、給電端子部３４Ａと電源入力端子部４１Ａとが重なるように、少なくとも一方のフレキシブル基板に他方のフレキシブル基板側に向けて突出する端子部接続用の枝基板を形成し、液晶パネル１０とバックライト２０とを並置した状態で、給電端子部３４Ａと電源入力端子部４１Ａとを重ね合わせてはんだ付けしたのち、そのはんだ付け部分が内側となるように、枝基板をほぼ１８０度折り曲げて液晶パネル１０とバックライト２０とを対向的に重ね合わせる。【選択図】図１
2007171433.tif 000002
【特許請求の範囲】
【請求項１】
液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部に、上記第２フレキシブル基板に形成されている電源ラインの電源入力端子部をはんだ付けして液晶表示装置を組み立てる液晶表示装置の組み立て方法において、
上記液晶パネルと上記バックライトとを並置した状態で、上記給電端子部と上記電源入力端子部とが重なるように、上記第１フレキシブル基板と上記第２フレキシブル基板の少なくとも一方のフレキシブル基板に他方のフレキシブル基板側に向けて突出する端子部接続用の枝基板を形成し、
上記液晶パネルと上記バックライトとを並置した状態で、上記給電端子部と上記電源入力端子部とを重ね合わせてはんだ付けしたのち、そのはんだ付け部分が内側となるように、上記枝基板をほぼ１８０度折り曲げて上記液晶パネルと上記バックライトとを対向的に重ね合わせることを特徴とする液晶表示装置の組み立て方法。
【請求項２】
上記液晶パネルと上記バックライトとを並置する際、上記液晶パネルの反観察面側を上面に向ける場合には上記バックライトの光出射面側を上面に向けて配置し、上記液晶パネルの観察面側を上面に向ける場合には上記バックライトの裏面側を上面に向けて配置することを特徴とする請求項１に記載の液晶表示装置の組み立て方法。
【請求項３】
液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部に、上記第２フレキシブル基板に形成されている電源ラインの電源入力端子部をはんだ付けして液晶表示装置を組み立てる液晶表示装置の組み立て方法において、
上記第１フレキシブル基板と上記第２フレキシブル基板の同一辺側に、互いに重なるように側方に突出する端子部接続用の枝基板をそれぞれ形成して、上記各枝基板に上記給電端子部と上記電源入力端子部とを配置し、
上記液晶パネルと上記バックライトとを重ね合わせるとともに、上記各枝基板を重ね合わせた状態で、上記給電端子部と上記電源入力端子部とをはんだ付けしたのち、そのはんだ付け部分が内側となるように、上記各枝基板をそれぞれ反対方向に向けてほぼ１８０度折り曲げて上記液晶パネルと上記バックライトとを対向的に重ね合わせることを特徴とする液晶表示装置の組み立て方法。
【請求項４】
上記液晶パネルと上記バックライトとを重ね合わせる際、上記液晶パネルの反観察面側を上面に向ける場合には上記バックライトの裏面側を上面に向けて配置し、上記液晶パネルの観察面側を上面に向ける場合には上記バックライトの光出射面側を上面に向けて配置することを特徴とする請求項３に記載の液晶表示装置の組み立て方法。
【請求項５】
液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部と上記第２フレキシブル基板に形成されている電源ラインの電源入力端子部とが接続されるはんだ付け部を有する液晶表示装置において、
上記第１フレキシブル基板と上記第２フレキシブル基板の少なくとも一方のフレキシブル基板に、同フレキシブル基板から突出する端子部接続用の枝基板が配設され、上記少なくとも一方のフレキシブル基板の端子部は上記枝基板に配設され、上記枝基板がほぼ１８０゜に折り曲げられて、上記はんだ付け部が上記枝基板の内側に配置されていることを特徴とする液晶表示装置。
【発明の詳細な説明】
【技術分野】
【０００１】
本発明は、液晶パネルとバックライトを含む液晶表示装置の組み立て方法に関し、さらに詳しく言えば、液晶パネル側のフレキシブル基板とバックライト側のフレキシブル基板のはんだ付け部分が外面に露出しないようにした液晶表示装置およびその組み立て方法に関するものである。
【背景技術】
【０００２】
透過型もしくは半透過型の液晶表示装置では、暗いところでも明るい表示が得られるようにするため、液晶パネルの反観察面側（裏面側）にバックライトを備える。
【０００３】
その典型的な従来例を図７を参照して説明する。図７（ａ）は液晶表示装置の表示面側（液晶パネルの観察面側）を模式的に示す平面図，図７（ｂ）は液晶表示装置の裏面側（バックライトの裏面側）を模式的に示す平面図であり、これに示すように、透過型もしくは半透過型の液晶表示装置は、液晶パネル１０と、液晶パネル１０の反観察面側に配置されるバックライト２０とを備えている。
【０００４】
液晶パネル１０は、観察面１０ａ側の透明電極基板１１と、図示しない液晶層を挟んで透明電極基板１１と対向的に配置される裏面側の透明電極基板１２とを備え、この例では、裏面側の透明電極基板１２の一辺にパネル端子部１２ａが連設されている。
【０００５】
パネル端子部１２ａには、液晶駆動用の例えばＣＯＦ（ｃｈｉｐ  ｏｎ  ｆｉｌｍ）もしくはＴＣＰ（ｔａｐｅ  ｃａｒｒｉｅｒ  ｐａｃｋａｇｅ）などのフレキシブル基板３０が接続される。なお、ＣＯＧ（ｃｈｉｐ  ｏｎ  ｇｌａｓｓ）型の液晶表示装置においては、パネル端子部１２ａ上に例えばベアＩＣチップなどのチップ部品が実装される。
【０００６】
このパネル側フレキシブル基板３０は、パネル端子部１２ａと図示しない主制御回路基板との間に接続される。そのため、パネル側フレキシブル基板３０は、パネル端子部１２ａに対する第１接続部３１と、上記主制御回路基板に対する第２接続部３２とを備える。
【０００７】
通常、第１接続部３１は異方性導電フィルム（ＡＣＦ）を介してパネル端子部１２ａに電気的・機械的に接続される。また、第２接続部３２は、主制御回路基板側に設けられているソケットに対する差込型のコネクタ端子として形成される。
【０００８】
図示を省略しているが、パネル側フレキシブル基板３０には、液晶駆動用の信号ラインのほかに、バックライト点灯用の給電ラインが配線されており、パネル側フレキシブル基板３０からバックライト２０に対して点灯電源を供給するようにしている。
【０００９】
バックライト２０は、バックライトケース２１内に収納された状態で液晶パネル１０の裏面側に配置される。図示しないが、バックライトケース２１内には、導光板と、その光入射面と対向して配置される光源としての発光ダイオード（ＬＥＤ）とを含むバックライトユニットが収納されている。
【００１０】
バックライトケース２１からは、電源ラインを含むフレキシブル基板４０が引き出されており、このライト側フレキシブル基板４０は、パネル側フレキシブル基板３０のバックライト点灯用の給電ラインと接続される（例えば、特許文献１参照）。
【００１１】
この接続は、高い熱を伴うはんだ付けによって行われるため、ライト側フレキシブル基板４０をパネル側フレキシブル基板３０にはんだ付けするにあたっては、そのはんだ付け箇所に位置的な制約が生ずる。
【００１２】
すなわち、パネル側フレキシブル基板３０には、多くのチップ部品が実装されているため、パネル側フレキシブル基板３０に対するライト側フレキシブル基板４０のはんだ付け箇所は、チップ部品の実装領域を避ける必要がある。
【００１３】
その理由は、チップ部品は多くの場合、リフローはんだ付けにより実装されるが、その後、その近くでパネル側フレキシブル基板３０とライト側フレキシブル基板４０とがはんだ付けされると、その熱によってリフローはんだ付け時のはんだ付け箇所が再溶融するおそれがあるからである。
【００１４】
そのため、パネル側フレキシブル基板３０の表面３０ａ側から見て、図７（ａ）の鎖線枠で示すように、裏面３０ｂ側の中央部分にチップ部品の実装領域３３が広い面積をもって割り当てられているような場合には、パネル側フレキシブル基板３０の片側に、バックライト２０に対する給電端子部３４を舌片状に連設し、図７（ｂ）に示すように、パネル側フレキシブル基板３０の裏面３０ｂ側で、給電端子部３４にライト側フレキシブル基板４０の電源入力端子部４１をはんだ付けするようにしている。このはんだ付けは、次のようにして行われる。
【００１５】
図７（ｂ）のＤ−Ｄ線断面図である図８を参照して、この従来例において、パネル側フレキシブル基板３０およびライト側フレキシブル基板４０はともに、ポリイミド樹脂などのベースフィルム３１０，４１０の片面に銅箔からなる配線層３２０，４２０を形成し、この配線層３２０，４２０の上にソルダレジストとしてのカバーフィルム３３０，４３０を形成してなる片面基板である。
【００１６】
パネル側フレキシブル基板３０の給電端子部３４には、カバーフィルム３３０の一部を除去することにより配線層３２０の端部を露出させてなる給電端子用の電極パッド３２１が設けられ、また、ライト側フレキシブル基板４０の電源入力端子部４１にも、同様にして、カバーフィルム４３０の一部を除去することにより配線層４２０の端部を露出させてなる電源入力端子用の電極パッド４２１が設けられる。
【００１７】
パネル側フレキシブル基板３０側の給電端子用の電極パッド３２１と、ライト側フレキシブル基板４０の電源入力端子用の電極パッド４２１とを、その一部分において重なるように相対的にずらして配置し、上記電極パッド３２１と上記電極パッド４２１とに跨るようにはんだ付けすることにより、パネル側フレキシブル基板３０の給電端子部３４と、ライト側フレキシブル基板４０の電源入力端子部４１と電気的・機械的に接続する。
【００１８】
【特許文献１】特開２００３−３２２８７１号公報
【発明の開示】
【発明が解決しようとする課題】
【００１９】
しかしながら、上記従来例によると、パネル側フレキシブル基板３０の給電端子部３４と、ライト側フレキシブル基板４０の電源入力端子部４１とのはんだ付け部分Ｓが、露出された状態となるため、液晶表示装置を例えば携帯端末機などに組み込む場合、上記露出状態のはんだ付け部分Ｓが、他の電気部品と接触して不測の短絡事故を起こすことがある。
【００２０】
これを防止するため、従来では、図８に示すように、はんだ付け部分Ｓを絶縁テープＴにて被覆するようにしているが、これは手作業によるものであるため作業効率が悪く、部品コストの面だけでなく生産効率の面でも問題があった。
【００２１】
また、パネル側フレキシブル基板３０に、給電端子部３４を舌片状に形成するにしても、給電端子部３４の突出幅が液晶パネル１０の幅以上に突出させなければならない場合があり、そのような場合には、液晶表示装置を小型化するうえでの支障となる。
【００２２】
したがって、本発明の課題は、液晶パネルのフレキシブル基板にバックライトのフレキシブル基板をはんだ付けして液晶表示装置を組み立てる際、フレキシブル基板のはんだ付け部分が外面に露出しないようにすることにある。
【課題を解決するための手段】
【００２３】
上記課題を解決するため、請求項１に記載の発明は、液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部に、上記第２フレキシブル基板に形成されている電源ラインの電源入力端子部をはんだ付けして液晶表示装置を組み立てる液晶表示装置の組み立て方法において、上記液晶パネルと上記バックライトとを並置した状態で、上記給電端子部と上記電源入力端子部とが重なるように、上記第１フレキシブル基板と上記第２フレキシブル基板の少なくとも一方のフレキシブル基板に他方のフレキシブル基板側に向けて突出する端子部接続用の枝基板を形成し、上記液晶パネルと上記バックライトとを並置した状態で、上記給電端子部と上記電源入力端子部とを重ね合わせてはんだ付けしたのち、そのはんだ付け部分が内側となるように、上記枝基板をほぼ１８０度折り曲げて上記液晶パネルと上記バックライトとを対向的に重ね合わせることを特徴としている。
【００２４】
請求項２に記載の発明は、上記請求項１において、上記液晶パネルと上記バックライトとを並置する際、上記液晶パネルの反観察面側を上面に向ける場合には上記バックライトの光出射面側を上面に向けて配置し、上記液晶パネルの観察面側を上面に向ける場合には上記バックライトの裏面側を上面に向けて配置することを特徴としている。
【００２５】
また、上記課題を解決するため、請求項３に記載の発明は、液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部に、上記第２フレキシブル基板に形成されている電源ラインの電源入力端子部をはんだ付けして液晶表示装置を組み立てる液晶表示装置の組み立て方法において、上記第１フレキシブル基板と上記第２フレキシブル基板の同一辺側に、互いに重なるように側方に突出する端子部接続用の枝基板をそれぞれ形成して、上記各枝基板に上記給電端子部と上記電源入力端子部とを配置し、上記液晶パネルと上記バックライトとを重ね合わせるとともに、上記各枝基板を重ね合わせた状態で、上記給電端子部と上記電源入力端子部とをはんだ付けしたのち、そのはんだ付け部分が内側となるように、上記各枝基板をそれぞれ反対方向に向けてほぼ１８０度折り曲げて上記液晶パネルと上記バックライトとを対向的に重ね合わせることを特徴としている。
【００２６】
請求項４に記載の発明は、上記請求項３おいて、上記液晶パネルと上記バックライトとを重ね合わせる際、上記液晶パネルの反観察面側を上面に向ける場合には上記バックライトの裏面側を上面に向けて配置し、上記液晶パネルの観察面側を上面に向ける場合には上記バックライトの光出射面側を上面に向けて配置することを特徴としている。
【００２７】
請求項５に記載の発明は、液晶パネルおよび同液晶パネルのパネル端子部に接続された第１フレキシブル基板と、上記液晶パネルの反観察面側に配置されるバックライトおよび同バックライトに接続された第２フレキシブル基板とを含み、上記第１フレキシブル基板に形成されている給電端子部と上記第２フレキシブル基板に形成されている電源ラインの電源入力端子部とが接続されるはんだ付け部を有する液晶表示装置において、上記第１フレキシブル基板と上記第２フレキシブル基板の少なくとも一方のフレキシブル基板に、同フレキシブル基板から突出する端子部接続用の枝基板が配設され、上記少なくとも一方のフレキシブル基板の端子部は上記枝基板に配設され、上記枝基板がほぼ１８０゜に折り曲げられて、上記はんだ付け部が上記枝基板の内側に配置されていることを特徴としている。
【発明の効果】
【００２８】
請求項１に記載の発明によれば、液晶パネル側の第１フレキシブル基板に形成されている給電端子部に、バックライト側の第２フレキシブル基板に形成されている電源ラインの電源入力端子部をはんだ付けして液晶表示装置を組み立てるにあたって、液晶パネルとバックライトとを並置した状態で、給電端子部と電源入力端子部とが重なるように、第１フレキシブル基板と第２フレキシブル基板の少なくとも一方のフレキシブル基板に他方のフレキシブル基板側に向けて突出する端子部接続用の枝基板を形成し、液晶パネルとバックライトとを並置した状態で、給電端子部と電源入力端子部とを重ね合わせてはんだ付けしたのち、そのはんだ付け部分が内側となるように、枝基板をほぼ１８０度折り曲げて液晶パネルとバックライトとを対向的に重ね合わせるようにしたことにより、はんだ付け部分が枝基板の折り曲げ部分により隠されるため、はんだ付け部分が外面に露出することがなく、絶縁テープなどの絶縁処理工程をなくすことができ、生産効率を向上させることができる。また、絶縁テープの部品コストを含めて、より一層のコストダウンを図ることができる。
【００２９】
請求項２に記載の発明によれば、液晶パネルとバックライトとを並置する際、液晶パネルの反観察面側を上面に向ける場合にはバックライトの光出射面側を上面に向けて配置し、液晶パネルの観察面側を上面に向ける場合にはバックライトの裏面側を上面に向けて配置するようにしたことにより、枝基板をほぼ１８０度折り曲げて液晶パネルとバックライトとを対向的に重ね合わせる際、液晶パネルの反観察面側にバックライトを配置することができる。
【００３０】
請求項３に記載の発明によれば、液晶パネル側の第１フレキシブル基板に形成されている給電端子部に、バックライト側の第２フレキシブル基板に形成されている電源ラインの電源入力端子部をはんだ付けして液晶表示装置を組み立てるにあたって、第１フレキシブル基板と第２フレキシブル基板の同一辺側に、互いに重なるように側方に突出する端子部接続用の枝基板をそれぞれ形成して、各枝基板に給電端子部と電源入力端子部とを配置し、液晶パネルとバックライトとを重ね合わせるとともに、各枝基板を重ね合わせた状態で、給電端子部と電源入力端子部とをはんだ付けしたのち、そのはんだ付け部分が内側となるように、各枝基板をそれぞれ反対方向に向けてほぼ１８０度折り曲げて液晶パネルとバックライトとを対向的に重ね合わせるようにしたことにより、請求項１に記載の発明と同じく、はんだ付け部分が枝基板の折り曲げ部分により隠されるため、はんだ付け部分が外面に露出することがなく、絶縁テープなどの絶縁処理工程をなくすことができ、生産効率を向上させることができる。また、絶縁テープの部品コストを含めて、より一層のコストダウンを図ることができる。
【００３１】
また、請求項４に記載の発明によれば、液晶パネルとバックライトとを重ね合わせる際、液晶パネルの反観察面側を上面に向ける場合にはバックライトの裏面側を上面に向けて配置し、液晶パネルの観察面側を上面に向ける場合にはバックライトの光出射面側を上面に向けて配置するようにしたことにより、各枝基板をほぼ１８０度折り曲げて液晶パネルとバックライトとを対向的に重ね合わせる際、液晶パネルの反観察面側にバックライトを配置することができる。
【００３２】
請求項５に記載の発明によれば、第１フレキシブル基板と第２フレキシブル基板の少なくとも一方のフレキシブル基板に、同フレキシブル基板から突出する端子部接続用の枝基板を配設し、上記少なくとも一方のフレキシブル基板の端子部を枝基板に配設し、枝基板をほぼ１８０゜に折り曲げて、はんだ付け部を枝基板の内側に配置していることにより、はんだ付け部が枝基板の折り曲げ部分により隠されるので、はんだ付け部が外面に露出することがなくなる。これによって、絶縁テープの部品コストを削減することができるとともに、絶縁テープ配設工程を省略することができる。
【発明を実施するための最良の形態】
【００３３】
まず、図１ないし図４により、本発明の請求項１に対応する第１実施形態について説明する。図１は本発明に係る液晶表示装置の液晶パネルとバックライトとの組立前の状態を模式的に示す平面図，図２は図１のＡ−Ａ線拡大断面図，図３は組み立て後の液晶表示装置を模式的に示す背面図，図４は図３のＢ−Ｂ線拡大断面図である。なお、この実施形態の説明において、上記従来例と同一または同一とみなせる構成要素には同じの参照符号を付してある。
【００３４】
本発明の液晶表示装置は透過型もしくは半透過型であって、図１に示すように、この液晶表示装置には、液晶パネル１０と、バックライト２０とが含まれ、液晶パネル１０にはパネル側フレキシブル基板３０が接続され、また、バックライト２０にはライト側フレキシブル基板４０が接続されている。
【００３５】
液晶パネル１０は、図示しない液晶層を挟んで対向的に配置された一対の透明電極基板１１，１２を備え、上記従来例と同様に、その一方の透明電極基板１２側にパネル端子部１２ａが連設されている。
【００３６】
パネル側フレキシブル基板３０には、ＣＯＦやＴＣＰなどのフレキシブル基板が用いられてよい。パネル側フレキシブル基板３０は、パネル端子部１２ａに対する第１接続部３１と、図示しない主制御回路基板に対する第２接続部３２とを備えている。
【００３７】
このうち第１接続部３１は、例えば異方性導電フィルム（ＡＣＦ）を介してパネル端子部１２ａに電気的・機械的に接続される。なお、ＣＯＧ機種の場合には、パネル端子部１２ａに図示しないチップ部品（例えばＩＣ（集積回路）のベアチップ）が実装される。また、第２接続部３２は、主制御回路基板側に設けられているソケットに対する差込型のコネクタ端子として形成される。
【００３８】
図示しないが、パネル側フレキシブル基板３０には、液晶駆動用の信号ラインのほかに、バックライト点灯用の給電ラインが配線されており、パネル側フレキシブル基板３０からバックライト２０に対して点灯電源が供給される。
【００３９】
バックライト２０は、バックライトケース２１内に収納された状態で液晶パネル１０の裏面側に配置される。バックライト２０はサイドライト型で、バックライトケース２１内には、導光板と、その光入射面と対向して配置される光源としての発光ダイオード（ＬＥＤ）とを含むバックライトユニットが収納されている。
【００４０】
バックライトケース２１からは、電源ラインを含むフレキシブル基板４０が引き出されており、このライト側フレキシブル基板４０には、パネル側フレキシブル基板３０のバックライト点灯用の給電ラインと接続される。
【００４１】
この接続は、はんだ付けによって行われるが、ライト側フレキシブル基板４０をパネル側フレキシブル基板３０にはんだ付けするにあたっては、パネル側フレキシブル基板３０のチップ部品の実装領域を避ける必要がある。
【００４２】
その理由は、上記従来例でも説明したように、チップ部品は多くの場合、リフローはんだ付けにより実装されるが、その後、その近くでパネル側フレキシブル基板３０とライト側フレキシブル基板４０とがはんだ付けされると、その熱によってリフローはんだ付け時のはんだ付け箇所が再溶融するおそれがあるからである。
【００４３】
ここで、パネル側フレキシブル基板３０の表面３０ａ側から見て、図１に鎖線枠で示すように、裏面３０ｂ側の中央部分にチップ部品の実装領域３３が広い面積をもって割り当てられているとする。
【００４４】
このような場合、パネル側フレキシブル基板３０の片側にバックライト２０に対する給電端子部３４Ａを舌片状に連設して、この給電端子部３４Ａにライト側フレキシブル基板４０の電源入力端子部４１Ａをはんだ付けすることになるが、液晶パネル１０とバックライト２０とを重ね合わせて液晶表示装置を組み立てた際に、そのはんだ付け部分が外面に露出しないようにするため、この第１実施形態では、次のような構成としている。
【００４５】
すなわち、図１に示すように、液晶パネル１０とバックライト２０とを同一平面上に並置した状態で、給電端子部３４Ａと電源入力端子部４１Ａとが重なるようする。そのため、この第１実施形態では、給電端子部３４Ａ側を枝基板として液晶パネル１０のパネル幅Ｈ１よりも外側に向けて幅Ｈ２だけ突出させて、電源入力端子部４１Ａと重なるようにしている。なお、これとは異なり、電源入力端子部４１Ａ側を枝基板として給電端子部３４Ａ側に突出させてもよく、また、その双方を互いに近づく方向に突出させて重なるようにしてもよい。
【００４６】
この第１実施形態では、図２に示すように、パネル側フレキシブル基板３０およびライト側フレキシブル基板４０ともに片面基板で、給電端子部３４Ａの裏面側にカバーフィルム３３０の一部を除去して配線層３２０の端部を露出させてなる給電端子用の電極パッド３２１が設けられ、同じく、電源入力端子部４１Ａの裏面側にカバーフィルム４３０の一部を除去して配線層４２０の端部を露出させてなる電源入力端子用の電極パッド４２１が設けられているとする。
【００４７】
液晶表示装置を組み立てるには、図１に示すように、液晶パネル１０とバックライト２０とを同一平面上に並置する。このとき、例えば液晶パネル１０はその観察面（表示面）１０ａ側を上面とするときには、バックライト２０はその裏面（バックライトケース２１の裏側）２０ｂ側を上面とする。
【００４８】
また、図２に示すように、給電端子部３４Ａの下側に電源入力端子部４１Ａを潜り込ませ、給電端子用の電極パッド３２１と電源入力端子用の電極パッド４２１とを、その一部分において重なるように相対的にずらして配置し、上記電極パッド３２１と上記電極パッド４２１とに跨るようにはんだ付けする。
【００４９】
そして、給電端子部３４Ａを図１の鎖線で示すパネル幅Ｈ１に沿った仮想の折り曲げ線Ｌ１の部分で山折状にほぼ１８０度折り曲げて、液晶パネル１０の反観察面側をバックライト２０の光出射面側に重ね合わせる。
【００５０】
なお、仮想の折り曲げ線Ｌ１は、パネル幅Ｈ１より内側に形成することが好ましい。すなわち、仮想の折り曲げ線Ｌ１をパネル幅Ｈ１より内側に形成することで、フレキシブル基板が液晶パネル１０の外形寸法を超えることがなくなり、その分、液晶表示装置を小型化することができる。
【００５１】
図３は、このようにして組み立てた液晶表示装置をバックライト２０の裏面２０ｂ側から見た背面図で、液晶パネル１０はバックライト２０と重なっており、パネル側フレキシブル基板３０のみが図１と左右反転した状態で示されている。
【００５２】
このようにして液晶表示装置を組み立てると、図４の拡大断面図に示すように、給電端子用の電極パッド３２１と電源入力端子用の電極パッド４２１とのはんだ付け部分Ｓが、給電端子部３４Ａの内側となり外面に露出しないため、従来のようにはんだ付け部分Ｓを絶縁テープで覆い隠す必要がなくなる。また、給電端子部３４Ａをパネル幅Ｈ１内に納めることができる。
【００５３】
なお、液晶パネル１０とバックライト２０とを同一平面上に並置する際、上記とは反対に、液晶パネル１０の反観察面側を上面とするときには、バックライト２０の光出射面側を上面とする。また、給電端子部３４Ａの上に電源入力端子部４１Ａを重ねて、給電端子用の電極パッド３２１と電源入力端子用の電極パッド４２１とをはんだ付けする。
【００５４】
そして、そのはんだ付け部分が内側となるように、給電端子部３４Ａを谷折り状にほぼ１８０度折り曲げて、液晶パネル１０の反観察面側とバックライト２０の光出射面側とを重ね合わせればよい。
【００５５】
次に、図５および図６により、本発明の第２実施形態について説明する。この第２実施形態において、上記第１実施形態と対応する構成要素には同じ参照符号を用いている。この第２実施形態では、液晶パネル１０とバックライト２０とを重ねた状態で、パネル側フレキシブル基板３０とライト側フレキシブル基板４０とをはんだ付けして、液晶表示装置を組み立てる。
【００５６】
そのため、この第２実施形態では、図５に示すように、パネル側フレキシブル基板３０の一方の片側辺に、給電端子部３４Ａを枝基板としてパネル幅よりも外側に突出するように形成するとともに、ライト側フレキシブル基板４０の電源入力端子部４１Ａを同じく枝基板として上記給電端子部３４Ａと重なるように、バックライトケース２１の側方に突出させる。
【００５７】
図５の例では、液晶パネル１０は観察面１０ａ側を上面とし、また、バックライト２０も光出射面２０ａ側を上面としているため、給電端子部３４Ａの給電端子用の電極パッド３２１はパネル側フレキシブル基板３０の表面３０ａ側に形成され、電源入力端子部４１Ａの電源入力端子用の電極パッド４２１もライト側フレキシブル基板４０の表面４０ａ側に形成される。
【００５８】
この第２実施形態で、液晶表示装置を組み立てるには、バックライト２０を液晶パネル１０の上に重ねて、図６（ａ）に示すように、給電端子部３４Ａの上に電源入力端子部４１Ａを配置する。この状態で、給電端子用の電極パッド３２１と電源入力端子用の電極パッド４２１とをはんだ付けする。
【００５９】
その後、液晶パネル１０の側辺に沿った仮想の折り曲げ線Ｌ２を目安として、図６（ｂ）に示すように、給電端子部３４Ａと電源入力端子部４１Ａをそれぞれ反対方向に向けてほぼ１８０度折り曲げながら、バックライト２０を図５の矢印Ｅ方向（反時計方向）に反転させるとともに、液晶パネル１０を図５の矢印Ｆ方向（時計方向）に反転させて、バックライト２０の光出射面２０ａと液晶パネル１０の反観察面側とを重ね合わせる。
【００６０】
このようにして、液晶表示装置が組み立てられるが、上記のように、給電端子部３４Ａと電源入力端子部４１Ａをそれぞれ反対方向に向けてほぼ１８０度折り曲げることにより、図６（ｃ）の断面図（図６（ｂ）のＣ−Ｃ線断面図）に示すように、給電端子用の電極パッド３２１と電源入力端子用の電極パッド４２１とのはんだ付け部分Ｓが給電端子部３４Ａと電源入力端子部４１Ａとにより挟まれた状態となる。
【００６１】
このため、そのはんだ付け部分Ｓを覆い隠す絶縁テープおよびそのテープ貼り作業が不要となるため、絶縁テープの部品コストを含めてより一層のコストダウンを図ることができる。また、給電端子部３４Ａと電源入力端子部４１Ａとを液晶パネル１０の側辺に沿った仮想の折り曲げ線Ｌ２で折り曲げることにより、上記第１実施形態と同じく、給電端子部３４Ａと電源入力端子部４１Ａの各枝基板をパネル幅内に納めることができる。
【００６２】
なお、液晶表示装置を組み立てるにあたって、図５の配置を入れ替えて、バックライト２０を下側とし、液晶パネル１０を上側とする場合には、バックライト２０の裏面側を上面とし、液晶パネル１０の反観察面側を上面とすればよい。
【図面の簡単な説明】
【００６３】
【図１】本発明の第１実施形態に係る液晶表示装置の液晶パネルとバックライトとの組立前の状態を模式的に示す平面図。
【図２】図１のＡ−Ａ線拡大断面図。
【図３】上記第１実施形態での組み立て後の液晶表示装置を模式的に示す背面図。
【図４】図３のＢ−Ｂ線拡大断面図。
【図５】本発明の第２実施形態に係る液晶表示装置の液晶パネルとバックライトとの組立前の状態を模式的に示す平面図。
【図６】（ａ）上記第２実施形態での給電端子部と電源入力端子部とを重ねた状態を示す平面図，（ｂ）給電端子部と電源入力端子部とを折り曲げた状態を示す平面図，（ｃ）（ｂ）のＣ−Ｃ線断面図。
【図７】（ａ）従来例に係る液晶表示装置の観察面側を示す正面図，（ｂ）その背面図。
【図８】図７のＤ−Ｄ線拡大断面図。
【符号の説明】
【００６４】
１０  液晶パネル
１０ａ  観察面
１１，１２  透明電極基板
１２ａ  パネル端子部
２０  バックライト
２０ａ  光出射面
２０ｂ  裏面
２１  バックライトケース
３０  パネル側フレキシブル基板
３０ａ  表面
３０ｂ  裏面
３１，３２  接続部
３２１  給電端子用の電極パッド
３３  チップ部品の実装領域
３４  給電端子部（枝基板）
４０  ライト側フレキシブル基板
４１  電源入力端子部（枝基板）
４２１  電源入力端子用の電極パッド
Ｓ  はんだ付け部分
【図１】
2007171433.tif 000003
【図２】
2007171433.tif 000004
【図３】
2007171433.tif 000005
【図４】
2007171433.tif 000006
【図５】
2007171433.tif 000007
【図６】
2007171433.tif 000008
【図７】
2007171433.tif 000009
【図８】
2007171433.tif 000010